Podtech/llm-jp-corpus-v4-ja_patent huggingface dataset:
(57)【要約】【課題】従来存在するネックレス留め具は円形リングが主流であるが、付け外しがやや難しい点もある。したがって確実に保持し簡単に解除することができる留め具を考案する。【解決手段】両側プッシュ式とすることで容易になる。ケース内部は凹部品先端と凸部品先端とＣ型リングバネで構成され、凹部品先端とＣ型リングバネはケース内部に浮遊状態で設置され凸部品先端をケース内部に挿入しＣ型リングバネ中心を押し広げて凸部品首に引っ掛かり保持することができる。取り外しは片手に凹部品後部とケースを摘まんだまま、もう一方の片手に凸部品後部を持ち、押し合うことで解除することができる。【選択図】図２
2011104312.tif 000002
【特許請求の範囲】
【請求項１】
ケースの内部は円筒型であり円形の凹部品先端と円形の凸部品先端とＣ型リングバネで構成され、ケースの両側に凹部品首と凸部品首と凸部品先端の移動可能な穴が設けられている。凹部品先端とＣ型リングバネはケースの内部に浮遊状態で設置され、凸部品先端をケースに挿入して保持、また解除することができる。挿入動作に於いては、Ｃ型リングバネの中心を凸部品先端で押し広げながら挿入、このとき凸部品先端は凸部品首より大きく設定されておりほぼ直角に、若しくは保持される角度に立ち上がりを持ち、Ｃ型リングバネもまた凸部品首の立ち上がりとの接触部に同じ角度、若しくは保持される角度の立ち上がりを持つことでＣ型リングバネは凸部品首に落ちて凸部品先端をケースに保持することができる。また凸部品首は保持された場所より奥に移動しないように外側に向かうほどケースの穴よりも大きく広がっている。解除動作に於いては、片手に凹部品後部とケースを摘まみながら、もう一方の片手に凸部品後部を持ち、押し合うことで解除可能となる。このとき凹部品先端はケースの内部でＣ型リングバネ側に移動し、凹部品先端はＣ型リングバネの内側に入り込む為に斜めカットされており、またＣ型リングバネは凹部品先端より外側に包み込む為の斜めカットが施されている。これらによりＣ型リングバネは押し広げられ、凸部品先端より大きく開いたところで凸部品先端を解除することができることを特徴とする両側プッシュ式ネックレス留め具。
【発明の詳細な説明】
【技術分野】
【０００１】本発明は貴金属、アクセサリーなどのネックレス留め具の方法に関する。
【背景技術】
【０００２】従来の技術で、より優れた技術は幾つか存在する。（特許文献１参照）。
【特許文献１】特開２００６−３２５６５７号公報（図３）
【発明が解決しようとする課題】
【０００３】従来存在するネックレス留め具は円形リングが主流であるが、付け外しが難しい点もある。したがって、簡単に付け外す事ができる留め機構が必要である。
【課題を解決するための手段】
【０００４】上記の目的を達成する為、本発明の、両側プッシュ式ネックレス留め具では、ケースの内部は円筒型であり円形の凹部品先端と円形の凸部品先端とＣ型リングバネで構成され、ケースの両側に凹部品首と凸部品首と凸部品先端の移動可能な穴が設けられている。凹部品先端とＣ型リングバネはケースの内部に浮遊状態で設置され、凸部品先端をケースに挿入して保持、また解除することができる。挿入動作に於いては、Ｃ型リングバネの中心を凸部品先端で押し広げながら挿入、このとき凸部品先端は凸部品首より大きく設定されておりほぼ直角に、若しくは保持される角度に立ち上がりを持ち、Ｃ型リングバネもまた凸部品首の立ち上がりとの接触部に同じ角度、若しくは保持される角度の立ち上がりを持つことでＣ型リングバネは凸部品首に落ちて凸部品先端をケースに保持することができる。また凸部品首は保持された場所より奥に移動しないように外側に向かうほどケースの穴よりも大きく広がっている。解除動作に於いては、片手に凹部品後部とケースを摘まみながら、もう一方の片手に凸部品後部を持ち、押し合うことで解除可能となる。このとき凹部品先端はケースの内部でＣ型リングバネ側に移動し、凹部品先端はＣ型リングバネの内側に入り込む為に斜めカットされており、またＣ型リングバネは凹部品先端より外側に包み込む為の斜めカットが施されている。これらによりＣ型リングバネは押し広げられ、凸部品先端より大きく開いたところで凸部品先端を解除することができることを特徴とする。
【０００５】また本発明の、両側プッシュ式ネックレス留め具は、ケースの両側に配置する凹部品後部と凸部品後部にはネックレス接続用の輪が設けられている。また両側プッシュ式を採用することでケース及びケース両側の外観は色々なデザインを用いることが可能となる。
【０００６】本発明の、両側プッシュ式ネックレス留め具は、Ｃ型リングバネを除いて貴金属で製造することが可能であり、またＣ型リングバネを貴金属で製造可能な技術が確立されると全ての部品は貴金属で製造されることとなる。
【発明を実施するための形態】
【０００７】図１、図２、図３、図４は本発明の両側プッシュ式ネックレス留め具の好適な実施の形態を示し、以下図２を中心に説明をする。
【０００８】図２は図１ｄの断面図であり、ケース１の内部はＣ型リングバネ２と凹部品先端３が浮遊状態で設置され、凸部品先端４を挿入することでＣ型リングバネ２の中心を押し広げ、Ｃ型リングバネ２が凸部品首６に落ちると凸部品先端４はケース１に保持される。解除するには片手で凹部品後部７とケース１を摘まみながら、もう一方の片手で凸部品後部８を持ち、押し合うことで凹部品先端３はケース１の内部をＣ型リングバネ２側に移動し、Ｃ型リングバネ２を押し広げて凸部品先端４より大きく開いたところで凸部品先端４を解除することができる。
【発明の効果】
【０００９】以上説明したように、両側プッシュ式ネックレス留め具を用いることで、キープアンドリリースが容易であり瞬時に行える画期的な構造である。また両側プッシュ式とすることで小型化を容易にし、またデザイン性にも優れている。
【図面の簡単な説明】
【図１】本発明の、両側プッシュ式ネックレス留め具において、図１ａは正面図、図１ｂは左側面図、図１ｃは右側面図である。
【図２】本発明の、両側プッシュ式ネックレス留め具の、図１ｄの断面図である。
【図３】本発明の、両側プッシュ式ネックレス留め具の、図３ｅはＣ型リングバネの正面図であり、図３ｆはＣ型リングバネの左側面図、図３ｇはＣ型リングバネの右側面図である。
【図４】本発明の、両側プッシュ式ネックレス留め具の、図３ｈの断面図である。
【符号の説明】１    ケース
２    Ｃ型リングバネ
３    凹部品先端
４    凸部品先端
５    凹部品首
６    凸部品首
７    凹部品後部
８    凸部品後部
【図１】
2011104312.tif 000003
【図２】
2011104312.tif 000004
【図３】
2011104312.tif 000005
【図４】
2011104312.tif 000006
(57)【要約】      （修正有）【課題】自力で操作でき、降りる位置を選べ、寝台の横につけて車椅子の横、側方から寝台に移乗することができる車椅子を提供する。【解決手段】車椅子を基本構成として、車軸受けａに、レールｂと、ストッパーｃを設けて、車軸受けａを移動させる構成とする。操作者はストッパーｃを解除して、車輪を回転させながら、車軸受けａを移動することにより、車椅子の横、側方から自力で寝台に移乗することができる。車椅子で、後ろ向きに段差を越える時、両方の車輪を後方にスライドすると、ホイールベースは広くなり安定する、さらに補助の前輪を支点として、重心より後方に車輪を移動することで、テコの原理により、車輪を軽く操作できる。【選択図】図１
2011104317.tif 000002
【特許請求の範囲】
【請求項１】
図、ａ車軸受けに、ｂレールと、ｃストッパーを設けて、ａ車軸受けを移動させる構成。
【請求項２】
ストッパーを解除して、車輪を回転させながら、車軸受けを移動する方法。
【発明の詳細な説明】
【発明の詳細な説明】
【背景技術】特許５９１０５１６１２、降りる位置が選べない。
【発明が解決しようとする課題】
【０００１】自操式車椅子から側方の寝台に移乗する方法。
【発明の技術】
図１と図２、車椅子を基本構成として、ａ車軸受けに、ｂレールと、ｃストッパーを設けて、ａ車軸受けを移動させる構成。
車軸受けに設けた、図１ｃストッパーを解除して、車輪を回転させながら、車軸受けを移動する方法。若しくは、図２ｃネジきりレールを回転することで、ストッパーを解除して、車輪を回転させながら、車軸受けを移動する方法。
いずれも、車椅子の側方を開放する目的で、車輪の車軸を車椅子と並行に移動させる方法を、「車椅子でスライド」と名称した。
【発明の効果】
【０００２】降りる位置を選べる。車椅子を寝台の横につけて移乗できる。
車椅子で、後ろ向きに段差を越える時、両方の車輪を後方にスライドすると、ホイールベースは広くなり安定する、さらに補助の前輪を支点として、重心より後方に車輪を移動することで、テコの原理により、車輪を軽く操作できる。
自動車えの移乗も容易に行える。いずれの効果も自由度を大きく広げる。
【図面の簡単な説明】
【０００３】図１と図２は斜視図。
【図１】ａ車軸受け。ｂレール。ｃストッパー。ｄ車軸中心線。
【図２】ａ車軸受け。ｂレール。ｃねじ切りレールのストッパー。ｄ車軸中心線。
【図１】
2011104317.tif 000003
【図２】
2011104317.tif 000004
【手続補正書】
【提出日】平成21年12月16日(2009.12.16)
【手続補正１】
【補正対象書類名】図面
【補正対象項目名】図３
【補正方法】追加
【補正の内容】
【図３】
2011104317.tif 000005
【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
図、ａ車軸受けと、ｂレールと、ｃストッパーを設けて、ａ車軸受けを移動させる構成。
【請求項２】
ストッパーを解除して、車輪を回転させながら、車軸受けを移動する方法。
【手続補正２】
【補正対象書類名】明細書
【補正対象項目名】全文
【補正方法】変更
【補正の内容】
【発明の詳細な説明】
【発明の詳細な説明】
【背景技術】特許４０３５７３０．降りる位置が選べない。
【発明が解決しようとする課題】
【０００１】自操式車椅子から側方の寝台に移乗する方法。
【発明の技術】
図１と図２、車椅子を基本構成として、ａ車軸受けと、ｂレールと、ｃストッパーを設けて、ａ車軸受けを移動させる構成。  車軸受けに設けた、図１ｃストッパーを解除して、車輪を回転させながら、車軸受けを移動する方法。若しくは、図２ｃネジきりレールを回転することで、ストッパーを解除して、車輪を回転させながら、車軸受けを移動する方法。  いずれも、車椅子の側方を開放する目的で、車輪の車軸を車椅子と並行に移動させる方法を、「車椅子でスライド」と名称した。
【発明の効果】
【０００２】降りる位置を選べる。車椅子を寝台の横につけて移乗できる。  車椅子で、後ろ向きに段差を越える時、両方の車輪を後方にスライドすると、ホイールベースは広くなり安定する、さらに補助の前輪を支点として、重心より後方に車輪を移動することで、テコの原理により、車輪を軽く操作できる。  自動車えの移乗も容易に行える。いずれの効果も自由度を大きく広げる。
【図面の簡単な説明】
【０００３】
【図１】は斜視図
【図２】は斜視図。
【図３】は、正面図と操作図。図１、ａ車軸受け。ｂレール。ｃストッパー。ｄ車軸中心線。図２、ａ車軸受け。ｂレール。ｃねじ切りレールのストッパー。ｄ車軸中心線。図３、ａ車軸。ｂレール。ｃストッパー。
(57)【要約】【課題】  就寝中に首が竦んだり枕に不具合を感じても、普通の枕では高さや形状を変更することには限界があったが、枕本体に高さや感触を変換する機能を備え、寝たままでも枕の高さと感触を手軽に変換可能にする枕。【解決手段】  小型で低い硬質の芯体１と、大型で高い軟質の芯体２を連結間隙部３で接続して、一袋からなる本体４の内部に独立して収納し、芯体の連結間隙部３を枕全体と一緒に折り曲げ、各芯体を上下に重ねることにより枕全体の高さと感触を変換する。【選択図】図１
2011104319.tif 000002
【特許請求の範囲】
【請求項１】
中材を包装した複数の芯体を、間隔を広く保持して連結し、一袋からなる枕本体の内部に独立させて収納し、芯体の連結間隙部を枕本体と共に折り曲げる折り畳み二段枕。
【発明の詳細な説明】
【技術分野】
【０００１】本発明は、一袋の枕に高さや感触等を変換できる機能を備え、さらに、寝たままで高さや感触を即座に変換する。すなはち、異なる中材を包装した複数の芯体を広い間隔を保持して連結し、一袋の本体内に独立させて収納するもので、一袋の本体と芯体の連結間隙部を一緒に折り曲げ、他の芯体と重ねて二段の枕とし、枕全体の高さや感触等を変換するものである。
【背景技術】
【０００２】従来から枕は、就寝途中に不具合を感じても枕本体の形状、構造等を変えることは困難であったが、既存の枕の一部に形状や中材の異なる複数の枕を直結して接続するもの、また、本体に独立した複数の補助体を連結し、折り畳んで上下に重ねることにより枕の高さ等を変換する二段構造のものがある。
【発明の概要】
【発明が解決しようとする課題】
【０００３】先行技術の二段構造は、いずれも、異なる中材をそれぞれ個別に包装し直接連結されており、折り畳んで重ねるとき厚さや形状の相違等のため連結箇所が傾斜して引きつり、重なりに無理を呈している。特に、就寝途中の変換では力を加えて重なりを整える必要など操作が煩雑なうえに、体位変換時や頭の位置が変るとき枕全体が不安定となり型崩れ等の問題があった。
【課題を解決するための手段】
【０００４】本発明は、高さや感触等が異なる複数の芯体を広い間隔を保持して連結し、一袋の本体内に独立させて収納している。本体と芯体間の広い間隙部分を一緒に折り曲げるため、厚みのある芯体も余裕のある平行した二段重ねを呈し、引きつりや傾斜等の無理がなく、枕全体の高さや感触を安定する。首や頭部の位置移動や体位変更時にも枕の重なりによる不具合は起こらず安定を維持する。
【発明の効果】
【０００５】本発明は、前記解決手段のとおり、各芯体の連結に間隔を広く保持させたことにより、睡眠中に寝たままの姿勢で枕全体を単純に折り曲げるだけで、即座に高さと感触が変る二段枕が完成する。特に、一方を折り曲げて上下に重なった二個の芯体は、それぞれ平行して安定し、寝返りや頭の位置、角度が変っても上下の重なりは正常に保たれ、満足な睡眠が得られる。また、最大の効果は睡眠途中にかすかに首の竦みや枕の不具合を感じた時点で、不快が進み目覚める前の夢うつつの状態で、ワンタッチで満足な枕の高さに変換出来る単純な機能を有する枕である。
【図面の簡単な説明】
【０００６】
【図１】間隔を広く保持して連結した２個の芯体を一袋の本体内に独立させて収納した折畳み二段枕の構成図である。
【図２】硬質で低い芯体を上段に重ねた折畳み二段枕の実施概要図である。
【図３】軟質の高い芯体を上段に重ねた折畳み二段枕の実施概要図である。
【発明を実施するための形態】
【０００８】  本発明の特徴は、複数の芯体を連結するとき、布または軟質材を用いて間隔を広く保持して連結するとともに、本体内に収納する各芯体は、本体とは直接に固着、縫合せず独立させて収納する。芯体の連結間隙部と一緒に本体も折り曲げるので、折り曲げて重ねる際にも傾斜や引きつり等の無理がなく容易に重なって安定する。また、実施者が睡眠中に頭部の位置や角度を変えても枕の重なりが崩れることは殆どない。他の実施方法として、あらかじめ１個の芯体内に異質の中材を適宜に封入した２個の中袋を表裏に挿入し、本体を裏返して折り重ねることにより、再び異なる感触が表面に出せるので、季節や好みに応じて芯体内に挿入する中袋を入れ替えて実施することができる。最大の特徴は睡眠途中、寝た姿勢のまま頭を少し持ち上げ、片手で枕の位置や方向の変換、表裏の反転により枕全体の高さや感触を変える、また、一方の芯体を本体と一緒に折り曲げ、二段に重ねることで枕全体の高さや感触を更に多様に変更することができる。さらに、首の竦みや枕の不具合をかすかに感じたとき、不快感による目覚めに至る前、夢うつつの状態でも即座のワンタッチで枕の高さが変換できる軽便な折り畳み二段枕である。
【実施例】
【０００９】実施例を各図面によって説明する。第１図は硬質で低い芯体１と軟質で高い芯体２を連結間隙部３で繋ぎ、一袋の本体４の内部に独立して収納した基本構造となる折畳み二段枕の構成図である。第２図は、硬質の芯体１を連結間隙部３から一袋の本体４と一緒に上に折り曲げ、軟質の芯体２の上段に折り重ねた最も高い折畳み二段枕の実施図。第３図は軟質の芯体２を連結間隙部３から一袋の本体４と一緒に硬質の芯体１の上側に折り重ね、同時に表面に軟質感触を呈する折畳み二段枕の実施図である。
【符号の説明】
【００１０】１  硬質の低い芯体。
２  軟質の高い芯体。
３  連結間隙部。
４  一袋の本体。
【図１】
2011104319.tif 000003
【図２】
2011104319.tif 000004
【図３】
2011104319.tif 000005
(57)【要約】      （修正有）【課題】従来のフタが設置されていないオープン型の名刺入れでは、収容した名刺が滑り出やすく、特に横方向やさかさまになった場合に、その問題が顕著に表れていた。【解決手段】名刺入れ本体Ａ１の収容部に、ストッパーＡ２を設ける。ストッパーＡ２は適宜な反発性の形状変化する。【選択図】図１
2011104311.tif 000002
【特許請求の範囲】
【請求項１】
名刺入れ本体の収容部にストッパーを設けたことを特徴とする名刺入れである。
【請求項２】
前記ストッパーは、適宜な反発性の形状変化することを特徴とする請求項１記載の名刺入れ。
【発明の詳細な説明】
【技術分野】
【０００１】  この発明は、名刺の携帯に用いる名刺入れの形状に関する。
【背景技術】
【０００２】  従来からある図３に示すような形状の名刺入れでは、中に入れた名刺が滑り出る。
【発明の概要】
【発明が解決しようとする課題】
【０００３】  この発明は、構成簡易で名刺が固定され、尚且つ取り出しやすい名刺入れを提供することを課題とする。
【課題を解決するための手段】  以上の課題を解決するために、第一発明は、名刺入れ本体の収容部にストッパーを設けたことを特徴とする名刺入れである。
また、第二発明はストッパーが、適宜な反発性の形状変化することを特徴とする名刺入れである。
【発明の効果】  第一発明、第二発明によれば、名刺入れの内部にストッパーを設けたので、名刺が名刺入れに固定され、構成簡易で取り出し易い。
【図面の簡単な説明】
【図１】  この発明の一実施形態を示す斜視図である。
【図２】  この発明の一実施形態を示す側面図である。
【図３】  従来技術を示す斜視図である。
【発明を実施するための形態】
【０００４】  この発明の一実施形態を図１と図２に示す。
構成は名刺入れ本体Ａ１と、本体Ａ１の収容部に配する適宜に反発性のある形状変化するストッパーＡ２からなり、名刺入れ本体Ａ１は、上面板Ｂ１と、下面板Ｂ２と、これらの基端縁に連設される側面板Ｂ３と底面板Ｂ４を備え、名刺Ｃ１の収容・取り出しに対して下面板Ｂ２取り付けられた、適宜に反発性の形状変化をするストッパーＡ２が、本体Ａ１に収容する名刺Ｃ１に当接したときに名刺Ｃ１を適宜な保持力で保持できるように構成する。
「実施形態の効果」
【０００５】  この実施形態によれば、ストッパーＡ２の働きで、名刺入れ本体Ａ１に収容する名刺Ｃ１の枚数の多少にかかわらず、名刺Ｃ１を保持でき、取り出しやすい。
【符号の説明】
【０００６】  Ａ１  名刺入れ本体    Ａ２  ストッパー
Ｂ１  上面板          Ｂ２  下面板        Ｂ３  側面板        Ｂ４  底面板
Ｃ１  名刺
【図１】
2011104311.tif 000003
【図２】
2011104311.tif 000004
【図３】
2011104311.tif 000005
(57)【要約】      （修正有）【課題】後始末を衛生的に且つ簡単に行える天プラ揚げ後に使用する揚げかす取り具を提供する。【解決手段】高温耐熱性を有する本体（１）の、二つ折り部（２）内側にバネ（３）を設け、二つ折りにした本体（１）の両端に外周内側に凹部を設けたロカ紙挟み部（５）とロカ紙挟み部（６）を設け、ロカ紙挟み部（５）と（６）の外周が重ね合う構造とした。使用時は、ロカ紙（８）をロカ紙挟み部（５）と（６）の間に挟み、片手で取っ手部（４ａ）と（４ｂ）を握ることによりロカ紙は固定する。さらにロカ紙挟み部（５）の凹部とロカ紙挟み部（６）が、合致することによって、天プラ揚げかすをすくってもロカ紙は、ずれない。汚れたロカ紙を捨てるときは、取っ手部（４ａ）と（４ｂ）の握りを緩めることによりロカ紙挟み部（５）と（６）が開き、ロカ紙を下方に向けて汚れたロカ紙は屑籠へ落とす。【選択図】図１
2011104324.tif 000002
【特許請求の範囲】
【請求項１】
本体（１）を二つ折にして両端にロカ紙挟み部（５）とロカ紙挟み部（６）を設け、二つ折り部（２）内側にバネ（３）を設け、ロカ紙挟み部（５）の外周内側に凹部を設け、ロカ紙挟み部（５）と（６）の内側にロカ紙押さえ部（７）を設けたことを特徴とした天プラ揚げかす取り具。
【発明の詳細な説明】
【技術分野】
【０００１】  この発明は、天プラの揚げかすを取り除くための、揚げかす取り具に関するものである。
【背景技術】
【０００２】  従来、天プラの揚げかす取り具は、細かい金網でできているお玉を使用していた。使用後、金網の目の中に入り込んだ油を取り除くのは、容易でなかった。きれいに油を取り除くため洗剤を使用すると網目の中に、油分や洗剤や水分が残る危険があった。
【先行技術文献】
【特許文献】
【０００３】特開２０００−５１１０５号公報、特開平９−８４７０５号公報、特開平７−２５５６１６号公報。
【発明の概要】
【発明が解決しようとする課題】
【０００４】  天プラの揚げかす取り具は使用すると、お玉の金網の細かい目の中まで油が付着していて、洗浄しても油を取り除くのは容易ではなく、さらに目の細かい網目の中の油分、水分、洗浄剤などは、洗浄しても、それらが残留することと洗浄には水も大量に使用するなど健康上、環境上に悪影響を及ぼした。そこで本発明は、その欠点を取り除くことを目的とした。
【課題を解決するための手段】
【０００５】  高温耐熱性を有する本体（１）を二つ折りにして、二つ折り部（２）内側にバネ（３）を設け、二つ折りにした本体（１）の両端にロカ紙挟み部（５）とロカ紙挟み部（６）を設け、ロカ紙挟み部（５）の外周内側に凹部を設けロカ紙挟み部（５）の凹部にロカ紙挟み部（６）の外周が重ね合うことを特徴とした天プラ揚げかす取り具。
【発明の効果】
【０００６】  これを使用する時は、ロカ紙挟み部（５）の凹部とロカ紙挟み部（６）の間にロカ紙（８）を挟み、片手で取って部（４ａ）と（４ｂ）を握ることによってロカ紙（８）は固定され天プラなべの中の揚げかすを取り除くことができる。
汚れたロカ紙を捨てるときは、取って部（４ａ）（４ｂ）の握り手をゆるめながら下方に向けることによりロカ紙挟み部（５）とロカ紙挟み部（６）はバネ（３）の力で開き、汚れたロカ紙（８）に手をふれることなく本体（１）より離れ下方の屑籠へ落とすことができる。
【明を実施するための形態】
【０００７】  以下、本発明の天プラ揚げかす取り具の実施方法について、図面を参照して説明する。
これを実施するときは、ロカ紙（８）をロカ紙挟み部（５）の凹部とロカ紙挟み部（６）の間に挟み、片手で取っ手部（４ａ）と（４ｂ）を握ることによりロカ紙は固定する。さらにロカ紙挟み部（５）の凹部とロカ紙挟み部（６）が、合致することによって、天プラ揚げかすをすくってもロカ紙は、ずれない。汚れたロカ紙（８）を捨てるときは、取っ手部（４ａ）と（４ｂ）の握りを緩めることによりバネ（３）の力が作用し、ロカ紙挟み部（５）とロカ紙挟み部（６）が開く。同時にロカ紙（８）を下方に向けることによりロカ紙（８）は手も触れず屑籠へ落とすことができる。
【図面の簡単な説明】
【０００８】
【図１】  本発明の全体の斜視図。
【図２】  ロカ紙（８）を挟んだ状態の平面図。
【図３】  ロカ紙挟み部（５）と（６）でロカ紙（８）を挟んだ状態の断面拡大図。（（図２）の点線部の断面拡大図）
【符号の説明】  （１）  本体
（２）  二つ折り部
（３）  バネ
（４ａ）（４ｂ）  取っ手ぶ部
（５）  凹部を有するロカ紙挟み部
（６）  ロカ紙挟み部
（７）  ロカ紙押さえ部
（８）  ロカ紙
【図１】
2011104324.tif 000003
【図２】
2011104324.tif 000004
【図３】
2011104324.tif 000005
(57)【要約】【課題】ロールペーパーホルダーに保持された、ロールペーパーや当該ロールペーパーの取り出し口（紙片）が、利用中や保持中に汚染される事を防止すると共に、保持されたロールペーパーの利用が容易な、ロールペーパー保持器を提供する。【解決手段】ロールペーパーホルダーの上後方から手前側迄カバーを設けたロールペーパーホルダーに於いて、ロールペーパーの取り出し口を手前側からではなく、後ろ側からロールペーパーを引き出す様に、ロールペーパーの保持方向（回転方向）を設定して、ロールペーパーを後ろ側から引き出して手前に設けた切断器で切断するので、残ったロールペーパーの切り端（次回の取り出し口切り端）が自然に後ろに垂れる構造としたので、当該自然に後ろ側に垂れた次回の取り出し切り端は、ロールペーパーホルダーの後ろ奥に在るので、保護カバーとロールペーパーホルダー本体で保護され，汚染を免れる。【選択図】図２
2011104321.tif 000002
【特許請求の範囲】
【請求項１】
ロールペーパーを保持するロールペーパー保持棒を、上下方向に傾斜させた構造として、ロールペーパー保持棒の上方に当たる保持棒の一端から挿入したロールペーパーが、重力で安定に保持される構造を特徴とした、ロールペーパーホルダー。
【請求項２】
ロールペーパーの保持方向を  ロールの引き出し位置が、手前でなく後方から引き出せる様に、ロールペーパーの保持方向（回転方向）を設定して、且つ当該ロールペーパーの保護カバーの手前先端付近にロールペーパー切断機を設定し、切断後に残ったロールペーパーの切り端が、自然に後ろ側に垂れてロールの巻き癖でカールして掴み易くなる構造を特徴とした、ロールペーパーホルダー。
【発明の詳細な説明】
【技術分野】
【０００１】  本発明は、ロールペーパーホルダーに取り付けられたペーパーが常に清潔に保たれると共に、取り出しが容易で清潔な取り出し口を提供できるようにしたものである。
【背景技術】
【０００２】  従来の汚染防止型ロールペーパーホルダーは、密閉型や密閉防水カバー取り付け型が提案されているが、密閉型では取り出しに難があり、防水カバー取り付け型では、カバーの開閉が必要であり、使用時に特別の考慮が必要となっている。
【先行技術文献】
【特許文献】
【０００３】
【特許文献１】特開２００７−４４３６１号広報
【特許文献２】登録実用新案第３０７９８６８号広報
【発明の概要】
【発明が解決しようとする課題】
【０００４】  ロールペーパー汚染防止のために、ロールペーパーホルダーに防水カバーを取り付けたり、ロールペーパーの取り出し口を一次閉鎖する方式では、必要な時の即時使用に課題があった。
【課題を解決するための手段】
【０００５】  ロールペーパーホルダーの上部分から手前にカバーを取り付け、ロールペーパーの取り出し口を手前側からではなく後ろ側からペーパーを引き出す様に、ロールペーパーの保持方向（回転方向）を設定して、ロールペーパーを後ろ側から引き出して手前に設けた切断器で切断し、残ったロールパーペーパーの切り端〔次回の取り出し紙片〕が、自然に後ろ側に垂れる構造としたので、当該自然に後ろ側に垂れたロールペーパーの切り端は、ロールペーパーホルダーの後ろ奥に存在し、保護カバーとロールペーパーホルダー本体で保護される手段を用いて課題を解決した。
【発明の効果】
【０００６】  ロールペーパーの取り出し口を手前側からではなく、後ろ側からペーパーを引き出して、手前の切断器で切断する構造とし、残ったロールパーペーパーの切り端が、自然に後ろ側に垂れ、更にロールの巻き癖で手前向きにカールして掴み易くなり、ペーパーの切り端がロールペーパーの保護カバーやロールペーパーホルダー本体の下部で後ろ側奥部分に保護され、自然な状態で不用意な汚染を免れると共に、ロールペーパーの取り扱いと使用が極めて簡単で容易となる効果が生ずる。
【図面の簡単な説明】
【０００７】
【図１】  本発明の正面図である。
【図２】  本発明の側面である。
【発明を実施するための形態】
【０００８】  以下、本発明の実施の形態について、図面を参照しつつ詳細に説明すれば、図１は、本発明の実施例の一般的な形態を示す正面図で、図２は、図１の側面図である。ロールペーパーホルダー本体（１）には、側面保持板（２）を設けており、当該側面保持板（２）に、ロールペーパー保持棒（３）を、上下方向に傾斜させて取り付け、ロールペーパー（４）を、紙の引き出し口が後ろ側に位置する様に、ロールペーパー保持棒（３）の上側から挿入する構造である。本体の後ろ側は、後面保持板（５）で構成しており、当該後面保持板（５）の上部を始点として、ロールペーパー（４）の外側を取り巻く状態でロールペーパーの手前の斜め下部分迄を覆う構造とした、主保護カバー（６）を設けた。尚当該主保護カバー（６）に、透明な樹脂等を用いればロールペーパーの残量等が透視できる効果が生ずる。当該主保護カバー（６）の手前下端に、ロールペーパー切断器（７）を取り付けた構造とした、又ロールペーパーの側面を保護する目的で、主保護カバー（６）の側面最上部に設けた，蝶番（８）で旋回可能に、側面保護カバー（９）を設けている。
【０００９】  本発明にかかるロールペーパーホルダーの使用に際しては、先ず、側面保護カバー（９）を上側に旋回させて開き、ロールペーパーの先端の引き出し部分（切り端）が後ろ側から出る状態にしたロールペーパーのロール紙を一部引き出して、ロールペーパー保持棒（３）の先端から挿入し、側面カバー（９）を閉めれば、ロールペーパーの、切り端（１０）が、ロールペーパーホルダー本体（１）の下側の奥に垂れ下がり、使用準備は完了する。
使用に際しては、ロールペーパーホルダー本体（１）の下側の奥に垂れ下がっているロールの巻き癖で手前にカールした、切り端（１０）を必要な長さに引き出して、手前の、切断器（７）に当て引けば、必要な長さのペーパーを切断して取り出す事が出来る。残ったロールペーパーの切り端は、自然に後ろ側に垂れるが、後ろに垂れた切り端は、ロールペーパーの巻き癖で前側にカールするので、取り出しが容易である。尚、ロールペーパー保持棒（３）の外周の一部にバネや柔軟な発泡樹脂等を付けて、ロールペーパーの内側に接触させれば、ロールペーパーの回転に制動作用が生じて、ロールペーパーの引き出し終了時の惰性でのオーバー回転防止が出来る。
【符号の説明】
【００１０】    １  ロールペーパーホルダー本体
２  側面保持板
３  ロールペーパー保持棒
４  ロールペーパー
５  後面保持板
６  主保護カバー
７  ロールペーパー切断器
８  蝶番
９  側面保護カバー
１０  切り端
【図１】
2011104321.tif 000003
【図２】
2011104321.tif 000004
(57)【要約】      （修正有）【課題】家庭用の浴槽・会社のシャワーなど、どこでも温泉気分を楽しめる温泉タオルを提供する。【解決手段】タオル１に、湯の花又は入浴剤２を包み込み、プレス機などで圧縮・成形する。タオル１を使用するときは、そのまま浴槽に入れてまず入浴剤として使用、もしくはシャワーを浴びながら使用して、その後は普通のタオルとして使用する。【選択図】図１
2011104327.tif 000002
【特許請求の範囲】
【請求項１】
タオル・手ぬぐいごと浴槽につけて、家庭で温泉気分を楽しむ入浴用タオルに利用できるものであって、タオル・手ぬぐいなど布製品に湯の花などの入浴剤を包み込み、圧縮・成形したことを特徴とするプレス温泉タオル。
【発明の詳細な説明】
【技術分野】
【０００１】  本発明は、家庭の浴槽・会社のシャワーなど、どこでも温泉気分を楽しめる温泉タオルに関するものである。
【背景技術】
【０００２】  従来、タオルと入浴剤は別々のものであり、シャワー時には入浴剤を利用しませんでした。
また、企業は自社の名前を入れたタオルを配ってきました。
なお、タオルに石鹸・シャンプー等を含ませたもの（特許文献１参照）や、タオルを炭で染めて脱臭性・抗菌性に優れたものもある（特許文献２参照）。
【特許文献１】  実開平６−７５９４
【特許文献２】  特開２００４−１６９１９２
【発明の開示】
【発明が解決しようとする課題】
【０００３】  シャワー時には、入浴剤を使うすべはなく、また企業は有り来たりのタオルを配っていた。
本発明は、これらの問題点を解決するためになされたものである。
【課題を解決するための手段】
【０００４】  タオルに、湯の花又は入浴剤を包み込み、圧縮・成形する。
以上の構成よりなるプレス温泉タオル。
【発明の効果】
【０００５】  従来使えなかったシャワー時での入浴剤の使用や、インパクトのある企業タオルや、温泉観光地での手軽なおみやげなどに利用できます。
【発明を実施するための最良の形態】
【０００６】  以下、本発明の実施の形態を説明する。
（イ）タオル（１）に、適量の湯の花・入浴剤（２）を包み込み丸めます。
（ロ）そのタオル（１）を、プレス機などで圧縮・成形します。
本発明は、以上のような構造である。
本発明を使用するときは、そのまま浴槽に入れてまず入浴剤として使用、もしくはシャワーを浴びながら使用してその後は普通のタオルとして使用します。
【図面の簡単な説明】
【０００７】
【図１】本発明の製造過程を示す斜視図
【図２】本発明の完成形を示す斜視図
【符号の説明】
【０００８】  （１）タオル、（２）湯の花・入浴剤
【図１】
2011104327.tif 000003
【図２】
2011104327.tif 000004
(57)【要約】【課題】  往来の身体つぼマッサージ器具は、圧力を、加えると力が、逃げてしまう。身体と、車のシートや、寝具の間に、鉛筆型等を、挟むと、具合が、いまいち不安定で、ありました。【解決手段】十字型の板に、円錐三角突起を、付ける、更に柄を、付けて、つぼマッサージすれば、的確につぼ患部に命中が、高くなり、体重を乗せれば、簡単で、効果的で、在ります。簡単な、マッサージ器具を提供できます。【選択図】図１
2011104326.tif 000002
【特許請求の範囲】
【請求項１】
十字型の、板に柄、更に、三角円錐突起物を乗せる及び、十字型の板に、三角円錐突起物を、乗せる。
【発明の詳細な説明】
【技術分野】
【０００１】    本発明は、身体のつぼ押しのマッサージ器具に関する。
【背景技術】
【０００２】従来の器具は、鉛筆型の物があり、圧力の架かり具合に不合理であるので、重圧が、軽くかかるようにしたものである。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【０００５】従来の鉛筆型等では、車のシートや寝具の上に乗せて更に、体を、乗せると不安定で、あった。
【課題を解決するための手段】
【０００６】本発明は、安定させて、患部に、的確命中させる様に、することを、目的とするものである。
【発明の効果】
【０００７】本発明のマッサージ器具は、体と、車等の、リクライニングシートや、寝具の間に挟み、患部をマッサージするのに、便利な、器具を、提供できる。
【図面の簡単な説明】
【０００８】
【図１】  本発明の実施形態を示すマッサージ器具の立体図
【図２】  同マッサージ器具の平面図
【発明を実施するための形態】
【０００９】以下、本発明の実施形態を、図１〜図２に基区いて説明する。
【００１０】図のとうり、柄の部分を、手で握り、車のシートを倒し十字型の上の突起を、置き、体を乗せその時、こり固まった患部に、合わせ命中させ、体重を、掛ければ、効果てきで、下の十字型が、突起物を安定させるので、容易に、患部命中。また、身体と、敷布団の間等、他、床の上に、置き、青竹踏みと、同じ要領で、十字型を、下にして、突起状を、上にして踏めば、足つぼマッサージにも、効果的で、更に、十字型の突起の反対を、握り、突起をこった患部に圧を、掛け易く効果的であります。最後に、突起を、親指の付け根に，あてがい、握っても、効果的であります。
以上の、安易に、つぼマッサージを、やることにより、健康促進、新陳代謝促進、宿便便通良好になる。
追記  図１、図２の符号の〔００１１〕Ｂは、切って、十字型と、突起だけであっても握って使えます。
【符号の説明】
【００１１】Ａ  十字部分  Ｂ  切り込み線
【図１】
2011104326.tif 000003
【図２】
2011104326.tif 000004
【手続補正書】
【提出日】平成22年1月28日(2010.1.28)
【手続補正１】
【補正対象書類名】特許請求の範囲
【補正対象項目名】全文
【補正方法】変更
【補正の内容】
【特許請求の範囲】
【請求項１】
十字型の板状体の交差部に三角錐の突起物を形成し、一方に把持部を設けた事を特徴とする  つぼ押マッサージ器具。
(57)【要約】【課題】立体的な観察が可能な挿管支援装置を提供する。【解決手段】立体視アダプター１０を介してディスプレイ３を観察する。立体視アダプター１０には観察者の視線を左右に広げる左右一対のプリズム１３が設けられているため、左右一対の電子画像Ａ、Ｂ間の距離が小さくても、両方の電子画像Ａ、Ｂをプリズム１３を介して確実に視認でき、立体観察が可能となる。【選択図】        図２
2011104097.tif 000002
【特許請求の範囲】
【請求項１】
先端にて両眼視差を有する左右一対の電子画像を撮像可能なスコープと、該スコープ部にて撮像された左右一対の電子画像を表示可能なディスプレイとを有する挿管支援装置であって、
前記ディスプレイが観察者の眼幅よりも小さい横幅を有する横型で、該ディスプレイに左右一対の電子画像を並列表示すると共に、該ディスプレイに観察者の視線を左右に広げる左右一対のプリズムを有する立体視アダプターを備えたことを特徴とする挿管支援装置。
【請求項２】
前記挿管支援装置はグリップ部を有し、該グリップ部の上部に前記ディスプレイが、下部に前記スコープが設けられていることを特徴とする請求項１記載の挿管支援装置。
【請求項３】
前記ディスプレイが立体視アダプターごと一端を中心に引起こし回動自在であることを特徴とする請求項１又は請求項２記載の挿管支援装置。
【発明の詳細な説明】
【技術分野】
【０００１】
本発明は挿管支援装置に関する。
【背景技術】
【０００２】
従来より、患者の気道を確保するために用いられる挿管支援装置は、ドクターが手で持って操作できるハンディーサイズである。この挿管支援装置は、気道確保の状態を視覚的に確認するため、先端で電子画像を撮像するスコープと、スコープで撮像した電子画像を表示するディスプレイとを一体的に備える（例えば、特許文献１参照）。
【先行技術文献】
【特許文献】
【０００３】
【特許文献１】特開２００７−１４４１２３号公報
【発明の概要】
【発明が解決しようとする課題】
【０００４】
しかしながら、このような従来の技術にあっては、スコープで撮像された電子画像は、スコープの先端から１つの撮像素子で撮像された２次元画像で、立体的に確認できるものでなかった。
【０００５】
本発明は、このような従来の技術に着目してなされたものであり、立体的な観察が可能な挿管支援装置を提供することを目的としている。
【課題を解決するための手段】
【０００６】
請求項１記載の発明は、先端にて両眼視差を有する左右一対の電子画像を撮像可能なスコープと、該スコープ部にて撮像された左右一対の電子画像を表示可能なディスプレイとを有する挿管支援装置であって、前記ディスプレイが観察者の眼幅よりも小さい横幅を有する横型で、該ディスプレイに左右一対の電子画像を並列表示すると共に、該ディスプレイに観察者の視線を左右に広げる左右一対のプリズムを有する立体視アダプターを備えたことを特徴とする。
【０００７】
請求項２記載の発明は、グリップ部の上部にディスプレイが、下部にスコープが設けられていることを特徴とする。
【０００８】
請求項３記載の発明は、ディスプレイが立体視アダプターごと一端を中心に引起こし回動自在であることを特徴とする。
【発明の効果】
【０００９】
請求項１記載の発明によれば、スコープの先端にて両眼視差を有する左右一対の電子画像を撮像可能で、その左右一対の電子画像を横型のディスプレイに左右並列表示している。この左右に並列表示された一対の電子画像は両眼視差を有するものであるが、人間の眼幅よりも小さい距離で並列表示されているため、そのままでは立体的な観察ができない。そこで、立体視アダプターを介してディスプレイを観察する。立体視アダプターには観察者の視線を左右に広げる左右一対のプリズムが設けられているため、左右一対の電子画像間の距離が小さくても、両方の電子画像をプリズムを介して確実に視認することができ、立体観察が可能となる。
【００１０】
請求項２記載の発明によれば、グリップ部が設けられているため、挿管支援装置を手で持って気道確保作業が行い易い。
【００１１】
請求項３記載の発明によれば、ディスプレイが立体視アダプターごと引起こし回動自在であるため、観察者は見やすい角度でディスプレイを観察することができる。
【図面の簡単な説明】
【００１２】
【図１】挿管支援装置を示す側面図。
【図２】挿管支援装置を示す斜視図。
【図３】ディスプレイ及び立体視アダプターを示す断面図。
【図４】スコープの先端を示す図。
【発明を実施するための形態】
【００１３】
図１〜図４は、本発明の好適な実施形態を示す図である。挿管支援装置１は中央にグリップ部２を有している。グリップ部２の上部にはディスプレイ３が設けられ、下部にはチューブ状のスコープ４が設けられている。スコープ４の先端には、図４に示すように、左右一対の小型ＣＣＤカメラ５と白色ＬＥＤ（照明）６が設けられている。小型ＣＣＤカメラ５は小型ＣＣＤイメージセンサ（撮像素子）により両眼視差を有する電子画像Ａ，Ｂを取得し、映像信号をディスプレイ３に出力する。小型ＣＣＤイメージセンサが左右一対設けられているため、両眼視差を有する左目用の電子画像Ａ、右目用の電子画像Ｂを同時に撮像することができる。尚、このスコープ４はグリップ部２の下端に固定される図示せぬ挿入具内に支持される。挿入具は剛性を有し、先端にて気道確保作業を行うことができる。
【００１４】
ディスプレイ３は２．４インチの液晶で、アスペクト比が１６：９の横型である。このディスプレイ３は上端のヒンジ８を中心に全体を引起こして回動させることができる。この一枚のディスプレイ３に、前記ＣＣＤカメラ５にて取得された左右一対の電子画像Ａ、Ｂが並列表示される。ディスプレイ３が小型のため、そこに表示される左右一対の電子画像Ａ、Ｂは、観察者の眼幅よりも狭い間隔で表示されている。尚、ディスプレイ３の側面には溝９が形成されている。
【００１５】
このディスプレイ３には、立体視アダプター１０が着脱自在に取付けられる。立体視アダプター１０は左右にフック１１を有し、該フック１１をディスプレイ３の側面の溝９に係合させることにより、一体的に取付けることができる。
【００１６】
立体視アダプター１０には中央に仕切板１２が形成され、その両側にプリズム１３がそれぞれ取付けられている。このプリズム１３は観察者の視線を広げる光学的機能を有している。従って、左右一対の電子画像Ａ、Ｂが観察者の眼幅よりも小さい間隔で表示されていても、立体視アダプター１０におけるプリズム１３を介して両方の電子画像Ａ、Ｂを確実に視認することができ、立体観察が可能となる。また、ディスプレイ３がヒンジ８を中心に引起こし回動可能なため、観察者は見やすい角度でディスプレイ３を観察することができる。
【符号の説明】
【００１７】
１  挿管支援装置
２  グリップ部
３  ディスプレイ
４  スコープ
１０  立体視アダプター
１３  プリズム
Ａ、Ｂ  電子映像
【図１】
2011104097.tif 000003
【図２】
2011104097.tif 000004
【図３】
2011104097.tif 000005
【図４】
2011104097.tif 000006
(57)【要約】【課題】  本発明は、正式な書類にインデックスを、順番が間違っても取り外しができ、また、きれいに貼り付けることができるように工夫したもので、インデックスラベルとそれより左に大きめな何度でも貼って剥がせる再剥離シートが１枚のシートになっており、インデックスラベル部分より少し左に長方形の穴を設け、その穴の左横に同じく穴を埋める様に剥離紙付の強粘着シールをセットした、貼ってはがせるインデックスを提供する。【解決手段】  全体は再剥離シールが施してあり、インデックスラベル（１）の左側は紙ガイド（５）部分を取り、少し大きめの再剥離部分（２）を設け、そちらに補強部分（６）を施した長方形の穴（３）、その穴（３）の左横に剥離紙を付けた強粘着シール（４）を設けた事を特徴とする、貼ってはがせるインデックスである。【選択図】図１
2011104975.tif 000002
【特許請求の範囲】
【請求項１】
全体は再剥離シールが施してあり、インデックスラベル（１）の左側は紙ガイド（５）部分を取り、少し大きめの再剥離部分（２）を設け、そちらに補強部分（６）を施した長方形の穴（３）、その穴（３）の左横に剥離紙を付けた強粘着シール（４）を設けた事を特徴とする、貼ってはがせるインデックスである。
【発明の詳細な説明】
【技術分野】
【０００１】  本発明は、正式な書類にインデックスを、順番が間違っても取り外しができ、また、きれいに貼り付けることができるように工夫したもので、インデックスラベルとそれより左に大きめな何度でも貼って剥がせる再剥離シートが１枚のシートになっており、インデックスラベル部分より少し左に長方形の穴を設け、その穴の左横に同じく穴を埋める様に剥離紙付の強粘着シールをセットした、貼ってはがせるインデックスラベルに関するものである。
【背景技術】
【０００２】  従来は、インデックスを一度貼ってしまったら、取り外しには、インデックスごとハサミで切るしかできなかった。
付箋式のインデックスがあるが、紙が薄いため、時間が経つと曲がってしまい記入した内容が読みずらく、また、はずれたり強度に欠ける。
【先行技術文献】
【０００３】
【特許文献１】  特開平１０−９５１９２号公報
【発明の概要】
【発明が解決しようとする課題】
【０００４】  パソコンでの出力書類は、数字の若いコード順に処理されプリントアウトされる。
毎月、インデックスを施しているが、必ずしも順番通りのファイルはできない。
しかし、インデックスを施してなければすぐに書類を探すことはできない。
また、決算期後には正式な書類としてインデックスが必要である。
【課題を解決するための手段】
【０００５】  全体は再剥離シールが施してあり、インデックスラベル（１）の左側は紙ガイド（５）部分を取り、少し大きめの再剥離部分（２）を設け、そちらに補強部分（６）を施した長方形の穴（３）、その穴（３）の左横に剥離紙を付けた強粘着シール（４）を設ける。
本発明は以上のような構造の貼ってはがせるインデックスである。
【発明の効果】
【０００６】  再剥離可能な粘着剤により何度も位置決めができる。
また、インデックス部分より大きめな再剥離シートにより、貼る書類の縦の紙に沿ったガイドなる。
位置が決まったら長方形の穴の部分を強粘着のシールを貼ることによりインデックスを固定できる。
コストを考えインデックス部分も再剥離な粘着剤を使用しているが、インデックスの部分は二つに重ね合わせるので、強い粘着力を持つ。
【図面の簡単な説明】
【０００７】
【図１】  本発明の正面図である。
【図２】  本発明の使用状況を示した説明図である。
【発明を実施するための形態】
【０００８】  以下、本発明の実施の形態を説明する。
（イ）全体は再剥離シールが施してあり、インデックスラベル（１）の左側は紙ガイド（      ５）部分を取り、少し大きめの再剥離部分（２）を設ける。
（ロ）再剥離部分（２）に、補強部分（６）を施した長方形の穴（３）を設ける。
（ハ）穴（３）の左横に剥離紙を付けた強粘着シール（４）を設ける。
本発明は以上のような構造である。
本発明を使用するときは、図１のインデックスラベル部分を中央から折り、再粘着シール部分を合わせ、再剥離部分の紙ガイド（５）を利用し図２の様に仮止めする。
位置が決まったら、穴（３）に強粘着シール（４）の剥離紙を剥がし強粘着シールを貼る。
【符号の説明】
【０００９】１  インデックスラベル
２  再剥離部分
３  穴
４  強粘着シール
５  紙ガイド
６  補強部分
【図１】
2011104975.tif 000003
【図２】
2011104975.tif 000004
(57)【要約】      （修正有）【課題】各種記念スタンプにおいてフルカラーでスタンプする時のかすれ等のスタンプミスが無くなるフルカラースタンプキットを提供する。【解決手段】ゴムスタンプの図柄を任意の複数の色部分８，９，１０に分け、それぞれのパーツを上下を特定できる同一形の台座１，２，３に正確な位置合わせで固定し各パーツを色ごとにカラーインクを付け、スタンプ台と同型の穴が空いたスタンプガイドに型を合わせながら順次、押印する事でフルカラースタンプができる。【選択図】図１
2011104972.tif 000002
【特許請求の範囲】
【請求項１】
ゴムスタンプの図柄を任意の複数の色部分に分け、それぞれのパーツを上下を特定できる同一形（台形、爪を付けた四角形、円形等）の台座に正確な位置合わせで固定し（図１参照）、各パーツを色ごとにカラーインクを付け、スタンプ台と同型の穴が空いたスタンプガイド（図２参照）に型を合わせながら順次、押印する事でフルカラースタンプができる。（図３参照）
【請求項２】
請求項１でいうスタンプガイドは、紙を固定し、各色版スタンプを差し替え押印する方式。
スタンプガイドに紙位置マーカーを付ける事により、スタンプガイドから紙を離しても、再度、同じ位置に紙をセットでき、ずれる事無く版をスタンプできる。
【請求項３】
スタンプと同じ大きさ、形の単泡質スポンジをゴム版のそれぞれの凸図柄よりやや大きめに抜き、その中に多孔質スポンジパット（レーザーでカットする）を入れ、それぞれの色のスタンプインクを充てんした物を、スタンプより一回り大きめの器に入れる方法により、２〜３色同時にスタンプできるスタンプパットができる。（図４参照）
【請求項４】
請求項２を利用し、多孔質スポンジパットにインクを充てんする際に、インクの粘性を高め、両端より徐々に２色のインクを充てんする事により、スムーズなグラデーション（ぼかし）インクパットができる。
インクの粘性を高める為には、市販の大和のり（米粉ののり）を適度（習字筆につけて、持ち上げた時、細い糸を引く程度の粘度）にインクで薄める。
この事によって２つの色インクの粘性が高まり、２つにインクが無制限に混じり合う事が無く、長くスムースなぼかし状態をインクパットとして保つことが出来、それをゴムスタンプに転着する事により、スムースなグラデーション（ぼかし）スタンプが出来る。
【発明の詳細な説明】
【発明の概要】
【０００１】各種記念スタンプにおいて現行では単一色の図柄を、フルカラー（多色）でスタンプにする。
スタンプ時のかすれ等のスタンプミスが無くなる。
スムーズなグラデーション（ぼかし）スタンプができる。
【発明が解決しようとする課題】
【０００２】各種記念スタンプにおいて、黒、青、赤、等の単色スタンプでは無く、簡単に数回の押印により、図柄をフルカラーでスタンプする。
小学生等の小さな子供でもスタンプのミスが無い。
スタンプミスを再度、押印する事で修正できる。
【課題を解決するための手段】
【０００３】各種記念スタンプにおいて一つの図柄を複数の色別パーツのスタンプに分け、それぞれのスタンプで、異なる色を正確な位置あわせの上、押印することによりフルカラー（多色）スタンプが可能。
位置合わせ用のガイド器を使う事で全く同じ位置にスタンプでき、それにより、だれもがきれいなスタンプができる。
【発明の効果】
【０００４】かすれ等のスタンプミスが無い。
この機器を利用することにより、色ごとのスタンプを別々の場所でずれる事無く押印可能で、スタンプラリー等において、様々な企画イベントが大幅に広がる。又、海や山の叙情のあるスタンプや季節等をフルカラーで表現が可能で、ただ押すだけの記念スタンプではなく、それ自体が楽しめるスタンプ。
【図面の簡単な説明】
【０００５】
【図１】各スタンプの平面図と断面図、裏面図
【図２】スタンプインクカップの平面、断面図
【図３】スタンピングガイドテーブルの見取り図、平面図、断面図、開断面図
【符号の説明】
【０００６】（１）スタンプ第１版  平面図          （５）アクリル  スタンプ台座
（２）スタンプ第２版  平面図          （６）クッション  スポンジ
（３）スタンプ第３版  平面図          （７）ゴムスタンプ（画像部分）
（４）平均断面図                      （８）スタンプ第１版  スタンプ面図
（９）スタンプ第２版  スタンプ面図    （１０）スタンプ第３版  スタンプ面図
（１１）位置合わせ用爪                （１２）色版識別用爪
（１３）スタンプ第１版のインクパット  （１４）スタンプ第２版のインクパット
（１５）スタンプ第３版のインクパット  （１６）インクカップの断面図
（１７）アクリル外枠                  （１８）アクリル  スポンジ止め
（１９）多孔質スポンジ（インク充てん部分）
（２０）単泡質スポンジ（インクが付かない部分）
（２１）クッション用スポンジ          （２２）スタンプガイドテーブル見取り図
（２３）スタンプガイドテーブル側面図  （２４）スタンプガイドテーブル開側面図
（２５）スタンプガイドテーブル平面図  （２６）兆番
（２７）透明アクリル板                （２８）押印マット
（２９）台座                          （３０）紙置きガイド
【図１】
2011104972.tif 000003
【図２】
2011104972.tif 000004
【図３】
2011104972.tif 000005